(57)【要約】【課題】オフセット電圧を低減することができるフォトディテクタ回路及びそれを備えた光ディスク装置を提供する。【解決手段】受光量に応じた電気信号を出力する光電変換部３０と、この光電変換部３０の出力を増幅する出力回路部３２を備えたフォトディテクタ回路１０において、外部から起動要求があったとき、光電変換部３０及び出力回路部３２のそれぞれの出力電圧のオフセットを検出し、当該検出結果に応じて光電変換部３０及び出力回路部３２のオフセット補正を行う制御部３３を備える。この制御部３３は、光電変換部３０のオフセットを補正する第１オフセット補正部４１と出力回路部３２のオフセットを補正する第２オフセット補正部４２とを有している。【選択図】図３
2009266297.tif 000002
【特許請求の範囲】
【請求項１】
受光量に応じた電気信号を出力する光電変換部と、この光電変換部の出力を増幅する出力回路部とを備えたフォトディテクタ回路において、
外部から起動要求があったとき、前記光電変換部及び前記出力回路部のそれぞれの出力電圧のオフセットを検出し、当該検出結果に応じて前記光電変換部及び前記出力回路部のオフセット補正を行う制御部を備えたことを特徴とするフォトディテクタ回路。
【請求項２】
前記制御部は、外部から起動要求があったとき、まず前記出力回路部を動作させて当該出力回路部の出力電圧のオフセットを検出してオフセット補正を行い、その後、さらに前記光電変換部を動作させて、前記出力回路部の出力電圧を検出することによって前記光電変換部の出力電圧のオフセットを検出してオフセット補正を行うことを特徴とする請求項１に記載のフォトディテクタ回路。
【請求項３】
前記制御部は、前記光電変換部のオフセット補正を行う第１補正部と、前記出力回路部のオフセット補正を行う第２補正部とを有することを特徴とする請求項１又は請求項２に記載のフォトディテクタ回路。
【請求項４】
前記光電変換部は、受光量に応じた電流を流すフォトダイオードと、当該フォトダイオードに流れる電流を電圧に変換する電流電圧変換器とを有しており、
前記制御部は、前記光電変換部及び前記出力回路部のオフセットの検出及び補正を行うときに、前記フォトダイオードから前記電流電圧変換器への電流を遮断することを特徴とする請求項１〜３のいずれか１項に記載のフォトディテクタ回路。
【請求項５】
前記電流電圧変換器の入力ノードに前記フォトダイオードをベース接地型増幅器の出力ノードを介して接続し、
さらに、前記ベース接地型増幅器の出力ノードの一端を第１電流源に接続し、前記ベース接地型増幅器の出力ノードの他端を前記第１電流源と同じ電流値の第２電流源に接続して、前記ベース接地型増幅器の出力ノードに一定電流を供給することを特徴とする請求項４に記載のフォトディテクタ回路。
【請求項６】
光学系を介してレーザー光を光ディスクに照射することによって、前記光ディスクに対してデータの読み書きを行う光ディスク装置において、
前記光学系を介して分光された前記レーザー光を電気信号に変換する光電変換部と、この光電変換部の出力を増幅する出力回路部とを有するフォトディテクタ回路を備え、
前記フォトディテクタ回路は、
外部から起動要求があったとき、前記光電変換部及び前記出力回路部のそれぞれの出力電圧のオフセットを検出し、当該検出結果に応じて前記光電変換部及び前記出力回路部のオフセット補正を行う制御部を備えたことを特徴とする光ディスク装置。
【発明の詳細な説明】
【技術分野】
【０００１】
本発明は、フォトディテクタ回路及びそれを備えた光ディスク装置に関する。
【背景技術】
【０００２】
従来よりＣＤドライブ、ＤＶＤドライブ或いはブルーレイドライブなどの光ディスク装置がある。この光ディスク装置は、光学系を介してレーザー光を光ディスクに照射することによって光ディスクに対するデータの読み書きを行う装置である。
【０００３】
この種の光ディスク装置においては、データの読み書き時に光ディスクに照射されるレーザー光の強度をモニタし、適正なレーザー光の強度となるように調整することが一般的に行われている。
【０００４】
すなわち、光ディスク装置では、レーザー光の強度をモニタするために、レーザー光を電気信号に変換するフォトディテクタ回路（以下、「フロントモニタ・フォトディテクタ回路」と呼ぶ。）が用いられている（例えば、特許文献１）。
【０００５】
図１０に従来のフロントモニタ・フォトディテクタ回路に用いる光電変換回路（Ｉ−Ｖ変換回路）１００を示す。同図に示すように、従来の光電変換回路１００は、受光したレーザー光の光量に応じた電流を流すフォトダイオードＰＤと、このフォトダイオードＰＤに流れる電流を増幅する電流電圧変換器１０１とを有している。
【０００６】
電流電圧変換器１０１は、オペアンプＡ１０１、光電変換抵抗Ｒｆ及び帰還容量Ｃｆから構成される。そして、フォトダイオードＰＤに電流が流れた場合、オペアンプＡ１０１から基準電圧Ｖｒｅｆを基準とした出力電圧Ｖｏｕｔが発生する。なお、容量ＣｐはフォトダイオードＰＤの寄生容量である。
【０００７】
ここで、光電変換回路１００の帯域は一般に下記式で表すことができる。
【０００８】
【数１】
2009266297.tif 000003
【０００９】
従って、光電変換回路１００において、感度を大きくして（すなわち、光電変換抵抗Ｒｆの抵抗値を大きくして）、広帯域化する場合には、寄生容量Ｃｐを小さくする必要がある。
【特許文献１】特開２００５−１３５５２８号公報
【発明の開示】
【発明が解決しようとする課題】
【００１０】
ところが、フロントモニタ・フォトディテクタ回路等のように、フォトダイオードＰＤのサイズが大きく、そのために寄生容量Ｃｐが大きくなる場合、光電変換回路において、高感度と広帯域を実現するのは困難になる。
【００１１】
そこで、本発明者は、鋭意研究を重ねた結果、フロントモニタ・フォトディテクタ回路のように、大きな寄生容量Ｃｐのついた光電変換回路でも、高感度・広帯域を実現する手段として、図１に示すようにベース接地型増幅器（ベース接地トランジスタ）を利用する光電変換回路を新たに開発した。
【００１２】
この光電変換部３０は、オペアンプＡ１の反転入力ノードにフォトダイオードＰＤをベース接地したトランジスタＱ４のコレクタ・エミッタを介して接続している。このように構成することにより、入力インピーダンスがreとなり、フォトダイオードＰＤの寄生容量Ｃｐの、光電変換回路の帯域への影響を抑制することができる。
【００１３】
例えば、寄生容量Ｃｐが１０ｐＦであるときに、Ｉ１（＝Ｉ１’）の電流を５００μＡにすると、入力抵抗は５２Ω(ｒｅ＝０．０２６／５００μ)であるからカットオフ周波数は３０６ＭＨｚとなり、広帯域の光電変換回路を実現することができる。
【００１４】
ところで、光電変換部３０は、ベース接地したトランジスタＱ４のコレクタを第１電流源Ｉａに接続し、ベース接地したトランジスタＱ４のエミッタを第１電流源Ｉａと同じ電流値の第２電流源Ｉｂに接続している。そして、ベース接地したトランジスタＱ４のコレクタ・エミッタに一定電流を供給するようにしている。
【００１５】
このように光電変換部３０を構成することにより、フォトダイオードＰＤに電流が流れないときには、電流電圧変換器３４の入力ノードに電流が流れない。その結果、電流電圧変換器３４の出力にオフセット電圧が生じることを抑制することができ、電流電圧変換器３４の感度調整が容易となるのである
【００１６】
しかしながら、この光電変換部３０の回路構成では、上下の第１及び第２定電流源Ｉａ，Ｉｂの電流値Ｉ１，Ｉ１’にばらつきが生じた場合（Ｉ１≠Ｉ１’）に、出力電圧Ｖｏｕｔにオフセット電圧が発生することになる。
【００１７】
例えば、光電変換抵抗Ｒｆが２０ｋΩであり、ベース接地されたトランジスタＱ４に流れる電流が５００μＡである場合、上下の第１及び第２定電流源Ｉａ，Ｉｂの電流値Ｉ１，Ｉ１’が１％ずれたとする（ここでは、Ｉ１＝５０５μＡ、Ｉ２＝５００μＡとする）。このようなずれが発生すると、オペアンプＡ１の反転入力ノードに５μＡがオフセット電流として出力され、その結果、出力電圧Ｖｏｕｔに１００ｍＶのオフセット電圧が生じてしまうことになる。
【００１８】
通常のフロントモニタ・フォトディテクタ回路では出力オフセットが３０ｍＶ以内程度で無ければシステム上使用ができない。しかしながら、上記のようにベース接地型増幅器を用いた光電変換回路を採用するような場合、オフセットの問題が発生してしまう。その為、光電変換抵抗Ｒｆの値を上げることができず、感度を上げることができないという問題が発生してしまう。
【００１９】
このようにフロントモニタ・フォトディテクタ回路では、その構成によってはオフセットの問題が発生してしまい、感度の向上などの妨げとなることがある。
【００２０】
そこで、本発明は、オフセット電圧を低減することができるフォトディテクタ回路及びそれを備えた光ディスク装置を提供することを目的とする。
【課題を解決するための手段】
【００２１】
請求項１に記載の発明は、受光量に応じた電気信号を出力する光電変換部と、この光電変換部の出力を増幅する出力回路部とを備えたフォトディテクタ回路において、外部から起動要求があったとき、前記光電変換部及び前記出力回路部のそれぞれの出力電圧のオフセットを検出し、当該検出結果に応じて前記光電変換部及び前記出力回路部のオフセット補正を行う制御部を備えたことを特徴とする。
【００２２】
また、請求項２に記載の発明は、請求項１に記載の発明において、前記制御部は、外部から起動要求があったとき、まず前記出力回路部を動作させて当該出力回路部の出力電圧のオフセットを検出してオフセット補正を行い、その後、さらに前記光電変換部を動作させて、前記出力回路部の出力電圧を検出することによって前記光電変換部の出力電圧のオフセットを検出してオフセット補正を行うことを特徴とする。
【００２３】
また、請求項３に記載の発明は、請求項１又は請求項２に記載の発明において、前記制御部は、前記光電変換部のオフセット補正を行う第１補正部と、前記出力回路部のオフセット補正を行う第２補正部とを有することを特徴とする。
【００２４】
また、請求項４に記載の発明は、請求項１〜３のいずれか１項に記載の発明において、前記光電変換部は、受光量に応じた電流を流すフォトダイオードと、当該フォトダイオードに流れる電流を電圧に変換する電流電圧変換器とを有しており、前記制御部は、前記光電変換部及び前記出力回路部のオフセットの検出及び補正を行うときに、前記フォトダイオードから前記電流電圧変換器への電流を遮断することを特徴とする。
【００２５】
また、請求項５に記載の発明は、請求項４に記載の発明において、前記電流電圧変換器の入力ノードに前記フォトダイオードをベース接地型増幅器の出力ノードを介して接続し、さらに、前記ベース接地型増幅器の出力ノードの一端を第１電流源に接続し、前記ベース接地型増幅器の出力ノードの他端を前記第１電流源と同じ電流値の第２電流源に接続して、前記ベース接地型増幅器の出力ノードに一定電流を供給することを特徴とする。
【００２６】
また、請求項６に記載の発明は、光学系を介してレーザー光を光ディスクに照射することによって、前記光ディスクに対してデータの読み書きを行う光ディスク装置において、前記光学系を介して分光された前記レーザー光を電気信号に変換する光電変換部と、この光電変換部の出力を増幅する出力回路部とを有するフォトディテクタ回路を備え、前記フォトディテクタ回路は、外部から起動要求があったとき、前記光電変換部及び前記出力回路部のそれぞれの出力電圧のオフセットを検出し、当該検出結果に応じて前記光電変換部及び前記出力回路部のオフセット補正を行う制御部を備えたことを特徴とする。
【発明の効果】
【００２７】
本発明によれば、オフセット電圧を低減することができるフォトディテクタ回路及びそれを備えた光ディスク装置を提供することができる。
【発明を実施するための最良の形態】
【００２８】
本発明にかかる光ディスク装置は、光学系を介してレーザー光を光ディスクに照射することによって、光ディスクに対してデータの読み書きを行う装置であり、光学系を介して分光されたレーザー光を電気信号に変換する光電変換回路を有するフォトディテクタ回路を備える。
【００２９】
このフォトディテクタ回路は、受光量に応じた電気信号を出力する光電変換部と、この光電変換部の出力を増幅する出力回路部を有しており、例えば、ＣＯＢ（chip on board）パッケージや透明モールドパッケージ（以下、単に「パッケージ」とも呼ぶ。）に収納される。光電変換部は、受光量に応じた電流を流すフォトダイオードと、当該フォトダイオードに流れる電流を電圧に変換する電流電圧変換器とを有している。
【００３０】
そして、フォトディテクタ回路は、パッケージ外部からの起動要求があったとき、光電変換部及び出力回路部のそれぞれの出力電圧のオフセットを検出し、当該検出結果に応じて光電変換部及び出力回路部のオフセット補正を行う制御部を備えることとしている。
【００３１】
ここで、光電変換部の出力電圧のオフセットとは、光電変換部の電流電圧変換器において、入力電流がないときに出力される電圧の理想値からのずれを意味する。また、出力回路部の出力電圧のオフセットとは、出力回路部において、入力を無信号としたときに出力される電圧の理想値からのずれを意味する。
【００３２】
従って、フォトディテクタ回路は、その起動時に、光電変換部及び出力回路部のオフセット補正を行って、回路全体の出力オフセットを低減させることができる。
【００３３】
その結果、例えば、後述するように光電変換部をベース接地増幅器を用いて構成した場合であっても、オフセットを抑えることが可能となり、光電変換部のフォトダイオードのサイズが大きい場合であっても、フォトディテクタ回路において、広帯域・高速化を図ることができる。
【００３４】
また、制御部は、パッケージ外部からの起動要求があったとき、まず出力回路部を動作させて当該出力回路部の出力電圧のオフセットを検出してオフセット補正を行い、その後、さらに光電変換部を動作させて、出力回路部の出力電圧を検出することによって光電変換部の出力電圧のオフセットを検出してオフセット補正を行うようにしている。
【００３５】
このように出力回路部と光電変換部とで個別にオフセット補正を行うようにしていることから、それぞれの回路部のオフセット補正を精度よく行うことができる。
【００３６】
また、制御部には、光電変換部のオフセット補正を行う第１補正部と、出力回路部のオフセット補正を行う第２補正部とを設けていることから、オフセット補正を容易に行うことができる。
【００３７】
さらに、制御部は、光電変換部及び出力回路部のオフセットの検出及び補正を行うときに、フォトダイオードから電流電圧変換器への電流を遮断するようにしているので、仮にフォトダイオードに間違って光が入射した場合であっても、出力回路部と光電変換部のオフセット補正を精度よく行うことができる。
【００３８】
ここで、光電変換部は、電流電圧変換器の入力ノードにフォトダイオードをベース接地型増幅器（ベース接地トランジスタ）の出力ノード（エミッタ・コレクタ）を介して接続し、さらに、ベース接地型増幅器の出力ノードの一端（コレクタ）を第１電流源に接続し、ベース接地型増幅器の出力ノード（エミッタ）の他端を第１電流源と同じ電流値の第２電流源に接続して、ベース接地型増幅器の出力ノードに一定電流を供給するようにしている。
【００３９】
このように光電変換回路を構成することにより、フォトダイオードに電流が流れないときには、電流電圧変換器の入力ノードに電流が流れない。その結果、電流電圧変換器の出力にオフセット電圧が生じることを抑制することができ、電流電圧変換器の感度調整が容易となる。
【００４０】
以下、図面に基づいて本発明の実施形態を詳説する。図２は本実施形態の光ディスク装置の概略構成図である。
【００４１】
本実施形態における光ディスク装置１は、光学系を介してレーザー光を光ディスクに照射することによって、光ディスクに対してデータの読み書きを行う装置である。この光ディスク装置１は、図１に示すように、ＣＤ用の光信号であるレーザー光を出射するＣＤ用レーザーダイオード２と、ＤＶＤ用の光信号であるレーザー光を出射するＤＶＤ用レーザーダイオード３と、光学系４と、ＣＤやＤＶＤなどの光ディスク６から反射するレーザー光を受光して電気信号に変換する第１のフォトディテクタ回路５と、光ディスク６を回転制御するためのサーボモータ７と、光学系４を介して分光されたレーザー光を電気信号に変換する第２のフォトディテクタ回路であるフロントモニタ・フォトディテクタ回路１０と、各レーザーダイオード２，３からレーザー光を出射するための制御信号の生成処理、各フォトディテクタ回路５，１０からの出力信号の処理、サーボモータ７への制御信号の生成処理などの各種信号処理を行うＤＳＰ１１と、光ディスク装置１全体を制御するコントローラ１２とを有している。
【００４２】
光学系４は、レンズ２０，２１，２５〜２７と、プリズム２２と、スプリッタ２３と、反射ミラー２４とを含んでいる。
【００４３】
インターフェイスを介してコントローラ１２により記録用データを受信すると、コントローラ１２は、ＤＳＰ１１を制御して、その記録用データに応じて変調したレーザー光をＣＤ用レーザーダイオード２又はＤＶＤ用レーザーダイオード３から出射する。
【００４４】
ＣＤ用レーザーダイオード２から出射されたレーザー光は、レンズ２１及びプリズム２２を介して、スプリッタ２３に入射する。同様に、ＤＶＤ用レーザーダイオード３から出射されたレーザー光は、レンズ２０及びプリズム２２を介して、スプリッタ２３に入射する。
【００４５】
スプリッタ２３に入射したレーザー光は、このスプリッタ２３によって、反射ミラー２４方向とフロントモニタ・フォトディテクタ回路１０の方向へと分光される。
【００４６】
反射ミラー２４方向へ分光したレーザー光は、反射ミラー２４での反射によってその光の方向が変更され、レンズ２５によってコリメートされた後、レンズ２６によって集光されて、光ディスク６に照射される。
【００４７】
一方、スプリッタ２３によってフロントモニタ・フォトディテクタ回路１０方向へと分光されたレーザー光は、フロントモニタ・フォトディテクタ回路１０で受光される。
【００４８】
フロントモニタ・フォトディテクタ回路１０で受光されたレーザー光は、フロントモニタ・フォトディテクタ回路１０によって電気信号に変換され、ＤＳＰ１１へ送信される。
【００４９】
ＤＳＰ１１は、フロントモニタ・フォトディテクタ回路１０から送信される電気信号に基づいて、各レーザーダイオード２，３から出射されるレーザー光の強度を検出し、各レーザーダイオード２，３から出射するレーザー光の強度を調整する。
【００５０】
なお、光ディスク６に照射され、この光ディスク６で反射したレーザー光は、レンズ２５，２６、反射ミラー２４、スプリッタ２３、レンズ２７を介して、第１のフォトディテクタ回路５で受光される。また、光ディスク６に書き込まれたデータを読み取るときには、読み取りのためのレーザー光をＣＤ用レーザーダイオード２又はＤＶＤ用レーザーダイオード３から出射する。以降上記と同様の経路で、分光されたレーザー光がフロントモニタ・フォトディテクタ回路１０で受光され、光ディスク６で反射されたレーザー光が第１のフォトディテクタ回路５で受光される。
【００５１】
ここで、本発明の特徴部分であるフロントモニタ・フォトディテクタ回路について、図面を参照して具体的に説明する。図３は本実施形態におけるフロントモニタ・フォトディテクタ回路の概略ブロック図である。
【００５２】
このフロントモニタ・フォトディテクタ回路１０は、ＣＯＢ（chip on board）パッケージＰ（以下、「パッケージＰ」と呼ぶ。）に収納されている。なお、パッケージＰとしてＣＯＢパッケージに代え、透明モールドパッケージ等を用いることもできる。
【００５３】
パッケージＰには、そのパッケージＰの外面に露出する６つの端子、すなわち、電源電圧入力用のＶＣＣ端子、接地電圧入力用のＧＮＤ端子、各種制御信号を外部からシリアルデータＳＤＡとして入力するＳＤＡ端子、外部からシリアルクロックＳＣＬを入力するＳＣＬ端子、出力信号用のＲＦ＋端子、出力信号用のＲＦ−端子を有している。なお、本実施形態においては、基準電圧Ｖｒｅｆは、ＶＣＣ端子から供給される電源電圧から内部で生成するようにしているが、Ｖｒｅｆ端子を設けて外部から供給するようにしてもよい。
【００５４】
図３に示すように、フロントモニタ・フォトディテクタ回路１０は、受光量に応じた電気信号を出力する光電変換部３０と、この光電変換部３０の出力を増幅する出力回路部３２とを備えている。さらに、フロントモニタ・フォトディテクタ回路１０は、光電変換部３０と出力回路部３２との間には、光電変換部３０の出力のゲイン調整を行うゲインコントロールアンプ３１を備えている。また、フロントモニタ・フォトディテクタ回路１０は、光電変換部３０と出力回路部３２のオフセット補正やゲインコントロールアンプ３１のゲイン調整を行う制御部３３を備えている。
【００５５】
光電変換部３０は、受光量に応じた電流を流すフォトダイオードＰＤと、このフォトダイオードＰＤに流れる電流を電圧に変換して出力する後述の電流電圧変換器３４とを有し、電流電圧変換器３４は、オペアンプＡ１や光電変換抵抗Ｒｆなどから構成される。
【００５６】
ゲインコントロールアンプ３１は、オペアンプＡ２を有し、オペアンプＡ２の出力ノードと反転入力ノードとの間に固定抵抗Ｒａを接続し、また、オペアンプＡ２の反転入力ノードと基準電圧Ｖｒｅｆとの間に可変抵抗Ｒｂを接続している。従って、固定抵抗Ｒａと可変抵抗Ｒｂの比に応じた倍率で光電変換部３０の出力電圧が増幅され、ゲインコントロールアンプ３１から出力される。
【００５７】
出力回路部３２は、ゲインコントロールアンプ３１を介してゲイン調整されて出力される光電変換部３０の出力信号を、パッケージＰの外部に出力するための出力回路である。
【００５８】
制御部３３は、出力回路部３２の出力電圧（ＲＦ＋,ＲＦ−）を検出して、光電変換部３０や出力回路部３２のオフセットを検出するオフセット検出部４０、光電変換部３０のオフセット補正を行う第１オフセット補正部４１（第１補正部の一例に相当）、出力回路部３２のオフセット補正を行う第２オフセット補正部４２（第２補正部の一例に相当）、シリアルデータＳＤＡ及びシリアルクロックＳＣＬなどを外部から入力し、これらの情報に基づいてオフセット検出部４０、第１オフセット補正部４１、第２オフセット補正部４２及びゲインコントロールアンプ３１などを制御するコントローラ４３などを有している。
【００５９】
コントローラ４３は、シリアルクロックＳＣＬに同期したシリアルデータＳＤＡを内部レジスタにセットし、このようにセットしたデータに基づいて、可変抵抗Ｒｂの抵抗値を変更してゲインコントロールアンプ３１のゲイン調整、及びモードの切り替え（ＳＬＥＥＰモードとＡＣＴＩＶモードとの切り替え）などを行う。
【００６０】
コントローラ４３は、初期状態において内部レジスタをＳＬＥＥＰモードに設定するようにしており、フロントモニタ・フォトディテクタ回路１０を停止状態に制御して、スリープ状態にする。具体的には、光電変換部３０、ゲインコントロールアンプ３１、出力回路部３２、オフセット検出部４０、第１オフセット補正部４１、第２オフセット補正部４２の動作を停止状態にする。
【００６１】
一方、コントローラ４３は、外部からシリアルデータＳＤＡとしてＡＣＴＩＶ制御信号が入力されたときに、外部から起動要求があったと判定し、ＳＬＥＥＰモードからオフセット補正モードへ移行する。このオフセット補正モードは、光電変換部３０及び出力回路部３２のオフセットを補正するモードである。オフセット補正モードで光電変換部３０及び出力回路部３２のオフセット補正が終了すると、コントローラ４３は、フォトダイオードＰＤで受光した光量に応じた出力信号（ＲＦ＋、ＲＦ−）をＲＦ＋端子及びＲＦ−端子から出力する通常モードで動作する。なお、ＡＣＴＩＶＥモードには、オフセット補正モードと通常モードが含まれる。
【００６２】
以下、ＳＬＥＥＰモードからオフセット補正モードへ移行し、その後通常モードへ移行する際の各部の動作タイミングを図４を参照して具体的に説明する。図４は本実施形態にかかるフロントモニタ・フォトディテクタ回路におけるオフセット補正動作の説明図である。
【００６３】
初期状態において、コントローラ４３の内部レジスタはＳＬＥＥＰモードに設定されており、図４に示すように、フロントモニタ・フォトディテクタ回路１０は、スリープ状態で動作している（図４（ａ）のタイミングｔ０以前参照）。このとき、コントローラ４３を除いた各部は上述したように停止状態にある。
【００６４】
その後、外部からシリアルデータＳＤＡとしてＡＣＴＩＶ制御信号が入力され、ＡＣＴＩＶＥモードへ移行したときに（図４（ａ）のタイミングｔ０参照）、コントローラ４３は、外部から起動要求があったと判定し、ＳＬＥＥＰモードからオフセット補正モードへ移行する。
【００６５】
このオフセット補正モード（図４のタイミングｔ０〜ｔ２参照）では、コントローラ４３は、出力回路部３２の出力電圧のオフセット（以下、「オフセット電圧」とも呼ぶ。）を補正する第１オフセット補正モード（図４のタイミングｔ０〜ｔ１参照）で動作し、その後、光電変換部３０のオフセット電圧を補正する第２オフセット補正モード（図４のタイミングｔ１〜ｔ２参照）で動作する。このオフセット補正モード時において、コントローラ４３は、光電変換部３０を制御して、フォトダイオードＰＤを電流電圧変換器３４から分離（例えば、フォトダイオードＰＤと電流電圧変換器３４との接続をオープンに）し、フォトダイオードＰＤから電流電圧変換器３４への電流を遮断して、フォトダイオードＰＤの出力に電流電圧変換器３４が影響しないようにする（図４（ｇ）参照）。
【００６６】
まず、コントローラ４３は、タイミングｔ０で第１オフセット補正モードに移行し、出力回路部３２をアクティブ（稼動状態）にする（図４（ｅ）参照）。具体的には、出力回路部３２へ電源電圧を印加すると共に、出力回路部３２への信号入力は無信号状態とする。従って、出力回路部３２は無信号入力に対する増幅を行った出力電圧（ＲＦ＋，ＲＦ−）を生成して出力することになる。
【００６７】
さらに、コントローラ４３は、オフセット検出部４０を制御して、出力回路部３２の出力電圧（ＲＦ＋，ＲＦ−）を検出する。このとき、出力回路部３２の入力は無信号であることから、このときの出力回路部３２の出力電圧差［（ＲＦ＋）-（ＲＦ−）］が出力回路部３２のオフセット電圧となる。このようにオフセット検出部４０は出力回路部３２のオフセット電圧を検出する。
【００６８】
その後、オフセット検出部４０で検出した出力回路部３２のオフセット電圧を仕様範囲内になるように、第２オフセット補正部４２を動作させて出力回路部３２のオフセット補正を行う。すなわち、コントローラ４３は、出力回路部３２のオフセット電圧が仕様範囲内のオフセット電圧となるように、第２オフセット補正部４２から出力回路部３２を制御する。
【００６９】
このようにコントローラ４３は、第１オフセット補正モードでは、出力回路部３２を動作させて出力回路部３２の出力電圧のオフセットを検出してオフセット補正を行うようにしている（図４（ｂ）参照）。なお、この補正状態は、フロントモニタ・フォトディテクタ回路１０の電源がＯＦＦ状態となるか、外部からシリアルデータＳＤＡとしてスリープ制御信号が入力されてＳＬＥＥＰモードとなるまで保持される。
【００７０】
次に、コントローラ４３は、タイミングｔ１で第２オフセット補正モードに移行する。この第２オフセット補正モードにおいて、コントローラ４３は、出力回路部３２をアクティブ（稼動状態）にしたまま、さらにフォトダイオードＰＤを除いて光電変換部３０と、ゲインコントロールアンプ３１をアクティブ（稼動状態）にする（図４（ｅ），（ｆ）参照）。具体的には、出力回路部３２に加え、光電変換部３０へ電源電圧を印加すると共に、光電変換部３０の入力を無信号状態とする。このときコントローラ４３は、光電変換部３０の出力がゲインコントロールアンプ３１を介して出力回路部３２に入力されるように、出力回路部３２を制御する。従って、このときの出力回路部３２は、光電変換部３０の無信号入力に対する出力を増幅した出力電圧（ＲＦ＋，ＲＦ−）を生成して出力することになる。
【００７１】
次に、コントローラ４３は、オフセット検出部４０を制御して、出力回路部３２の出力電圧（ＲＦ＋，ＲＦ−）を検出する。このとき、すでに出力回路部３２のオフセットは補正されていることから、出力回路部３２の出力は、ゲインコントロールアンプ３１で増幅された光電変換部３０のオフセット電圧に応じた電圧が出力されることになる。このようにオフセット検出部４０は光電変換部３０のオフセット電圧を検出する。
【００７２】
その後、オフセット検出部４０で検出した光電変換部３０のオフセット電圧を仕様範囲内になるように、第１オフセット補正部４１を動作させて光電変換部３０のオフセット補正を行う。すなわち、コントローラ４３は、光電変換部３０のオフセット電圧が仕様範囲内のオフセット電圧となるように、第１オフセット補正部４１から光電変換部３０を制御する。
【００７３】
このようにコントローラ４３は、第２オフセット補正モードでは、光電変換部３０、ゲインコントロールアンプ３１及び出力回路部３２を動作させて光電変換部３０の出力電圧のオフセットを検出してオフセット補正を行うようにしている（図４（ｃ）参照）。なお、この補正状態は、フロントモニタ・フォトディテクタ回路１０の電源がＯＦＦ状態となるか、外部からスリープ制御信号が入力されるまで保持される。
【００７４】
この第２オフセット補正モードが終了すると（図４のタイミングｔ２）、コントローラ４３はオフセット補正モードを終了し、通常モード（Ｎｏｒｍａｌ  Ｏｐｅｒａｔｅ）へ移行する。この通常モードでは、コントローラ４３は、オフセット検出部４０、第１オフセット補正部４１及び第２オフセット補正部４２を停止状態とし、光電変換部３０、ゲインコントロールアンプ３１及び出力回路部３２を稼動状態として、フォトダイオードＰＤで受光した光量に応じた出力信号をＲＦ＋端子及びＲＦ−端子から出力する。
【００７５】
以上のように本実施形態にかかるフロントモニタ・フォトディテクタ回路１０は、スリープモードから通常モードへ移行して動作を開始するまでに、光電変換部３０及び出力回路部３２のオフセットを補正するようにしており、これにより通常モード時において、オフセット電圧を低減した出力信号をＲＦ＋端子及びＲＦ−端子から出力することができる。
【００７６】
また、フロントモニタ・フォトディテクタ回路１０自体がスリープモードから通常モードへ移行するときに、毎回オフセット補正を行うことから、このフロントモニタ・フォトディテクタ回路１０を使用して製品を開発する者は、オフセットを補正するための特別な制御信号をフロントモニタ・フォトディテクタ回路１０に入力する必要が無い。そのため、汎用のフロントモニタ・フォトディテクタ回路と同様の取り扱いでよく、利便性の面でも優れている。
【００７７】
なお、オフセット補正時に、光電変換部３０や出力回路部３２のオフセット電圧が仕様範囲内であり問題がないレベルであるときには、コントローラ４３はオフセット補正を行わない。また、オペアンプの段数が増加した場合には、オフセット補正部を増やし、同様にオフセット補正を行うようにすればよい。
【００７８】
また、オフセット補正を行うタイミングは、スリープモードから回路の起動を開始した後、当該起動した回路が静定する時間を待ったタイミングとすることで、リンギング等でオフセット電圧の誤判定を防ぐことができる。
【００７９】
以下、光電変換部３０及び第１オフセット補正部４１、出力回路部３２及び第２オフセット補正部４２の具体的構成の一例について図面を参照して説明する。図５は光電変換部３０及び第１オフセット補正部４１の構成図、図６は第１オフセット補正部４１の構成図、図７は出力回路部３２及び第２オフセット補正部４２の構成図、図８は第２オフセット補正部４２の構成図である。
【００８０】
（光電変換部３０及び第１オフセット補正部４１について）
まず、光電変換部３０及び第１オフセット補正部４１の構成を説明する。
【００８１】
光電変換部３０は、受光した光量に応じた電流値Ｉｏの電流を流すフォトダイオードＰＤと、このフォトダイオードＰＤに流れる電流を電圧Ｖｏに変換する電流電圧変換器３４とを有している。
【００８２】
電流電圧変換器３４は、オペアンプＡ１を備え、このオペアンプＡ１の反転入力ノードと出力ノードの間に光電変換抵抗Ｒｆ及び帰還容量Ｃｆが接続され、オペアンプＡ１の非反転入力ノードには基準電圧Ｖｒｅｆが接続される。また、フォトダイオードＰＤには寄生容量Ｃｐが寄生して発生し、オペアンプＡ１の入力ノードの配線には配線容量Ｃｐ２が寄生して発生する。
【００８３】
ここで、光電変換部３０は、ベース接地型増幅器の出力ノードを介してフォトダイオードＰＤが電流電圧変換器３４の入力ノードに接続される。すなわち、フォトダイオードＰＤのカソードがトランジスタＱ４のエミッタと接続され、トランジスタＱ４のコレクタがオペアンプＡ１の反転入力ノードに接続される。トランジスタＱ４のベースには基準電圧Ｖｒｅｆが印加されており、これによりベース接地型増幅器(ベース接地トランジスタ)が形成されることになる。
【００８４】
このように、ベース接地されたトランジスタＱ４からなるベース接地型増幅器の出力ノード（コレクタ・エミッタ）を介してフォトダイオードＰＤを電流電圧変換器３４の反転入力ノードに接続することで、フォトダイオードＰＤの寄生容量Ｃｐの影響を抑制し、高いゲインを持ちながら高いカットオフ周波数を得ることが可能となる。
【００８５】
また、ベース接地されたトランジスタＱ４において、その出力の両端（コレクタ・エミッタ）にはそれぞれ第１及び第２定電流源Ｉａ，Ｉｂが接続される。第１及び第２定電流源Ｉａ，Ｉｂの電流値は共に同じ電流値Ｉ１に設定されている。
【００８６】
これにより、フォトダイオードＰＤに電流が流れないときには、電流電圧変換器３４の入力ノード（オペアンプＡ１の反転入力ノード）に対する電流が流れない。従って、電流電圧変換器３４の出力にオフセットが生じることを抑制することができ、電流電圧変換器３４の感度調整が容易となる。
【００８７】
つまり、ベース接地されたトランジスタＱ４のコレクタに電源電圧ＶＣＣが電流値Ｉ１の第１定電流源Ｉａを介して接続され、トランジスタＱ４のエミッタに接地電圧ＧＮＤが電流値Ｉ１の第２定電流源Ｉｂを介して接続される。
【００８８】
そのため、フォトダイオードＰＤに電流が流れないときには、第１定電流源Ｉａから第２定電流源Ｉｂへ電流値Ｉ１の一定電流が、トランジスタＱ４の出力（コレクタ・エミッタ間）を介して流れ込む。従って、トランジスタＱ４の出力には電流値Ｉ１の一定電流が供給されるが、電流電圧変換器３４の入力ノードには電流が流れない。
【００８９】
一方で、フォトダイオードＰＤに電流値Ｉｏの電流が流れたときには、トランジスタＱ４の出力に電流値Ｉ２（＝Ｉ１＋Ｉｏ）の電流が流れることになる。このとき、第２定電流源Ｉｂの電流値はＩ１であることから、電流電圧変換器３４の入力ノードに電流が流れる。そして、フォトダイオードＰＤに電流が流れると、電圧Ｖｒｅｆを基準とした出力電圧Ｖｏが発生することになる。
【００９０】
このように、光電変換部３０では、フォトダイオードＰＤに電流が流れないときには、電流電圧変換器３４の出力にオフセット電圧が生じることを抑制することができ、電流電圧変換器３４の感度調整が容易となるのである。
【００９１】
従来の光電変換回路では、フォトダイオードＰＤの帰還容量Ｃｆと光電変換抵抗Ｒｆにより回路のカットオフ周波数が決定されていた。一方、本実施形態における光電変換部３０では、ベース接地されるトランジスタＱ４のエミッタ抵抗ｒｅとフォトダイオードＰＤの寄生容量Ｃｐの積、或いは光電変換抵抗Ｒｆと配線容量Ｃｐ２の積のいずれか大きい方の積で決定されることになる。
【００９２】
ここで、第１定電流源Ｉａと第２定電流源Ｉｂの電流値がずれると、電流電圧変換器３４において、オフセット電圧が発生する。そこで、第１オフセット補正部４１によりオフセットを補正するようにしている。
【００９３】
次に、第１オフセット補正部４１の構成について説明する。
【００９４】
第１オフセット補正部４１は、図５に示すように、可変電流源Ｉ１０、抵抗Ｒ１１，Ｒ１２及びオペアンプＡ２０から構成される。すなわち、電源電圧ＶＣＣと基準電圧Ｖｒｅｆとの間に、可変電流源Ｉ１０と抵抗Ｒ１１とが直列に接続され、可変電流源Ｉ１０と抵抗Ｒ１１との接続ノードがオペアンプＡ２０の非反転入力ノードに接続される。オペアンプＡ２０の出力ノードはその反転入力ノードに接続されており、さらにオペアンプＡ２０の出力ノードは抵抗Ｒ１２を介してオペアンプＡ１の反転入力ノードに接続される。
【００９５】
従って、オペアンプＡ１の反転入力ノードには、可変電流源Ｉ１０の電流値に応じた電流が供給されることになり、可変電流源Ｉ１０の電流値を適切に調整することにより、電流電圧変換器３４のオフセットを仕様範囲内にするオフセット補正を行うことができる。
【００９６】
ところで、第１定電流源Ｉａと第２定電流源Ｉｂの電流値のずれは半導体プロセスの製造工程の加工精度に大きく依存するため、そのばらつきを十分満足するようにオフセット電圧の補正を行うことが必要である。ここでは、第１定電流源Ｉａと第２定電流源Ｉｂの電流値のずれが±１％（Ｉ１＝５００μＡの時では、電流値のずれ量は５μＡ）である場合を考えてみる。Ｒ１２=２０ｋΩで、電流ばらつきが±１％の場合、電流電圧変換器３４のオフセット電圧は±１００ｍＶ（＝２０ｋΩ×５μＡ）となる。
【００９７】
電流電圧変換器３４で達成しなければならないオフセット電圧の仕様範囲が±２０ｍＶであるすると、第２オフセット補正モード時において、オフセットの補正を以下のように行う必要がある。図５に示す回路では、以下のａ１）〜ａ７）のオフセット補正を行うことが出来るように構成されている。
【００９８】
ａ１）−１４０ｍＶ≦オフセット電圧≦−１００ｍＶ：＋１２０ｍＶのオフセット補正
ａ２）−１００ｍＶ＜オフセット電圧≦−６０ｍＶ：＋８０ｍＶのオフセット補正
ａ３）−６０ｍＶ＜オフセット電圧≦−２０ｍＶ：＋４０ｍＶのオフセット補正
ａ４）−２０ｍＶ＜オフセット電圧≦＋２０ｍＶ：オフセット補正はしない
ａ５）＋２０ｍＶ＜オフセット電圧≦＋６０ｍＶ：−４０ｍＶのオフセット補正
ａ６）＋６０ｍＶ＜オフセット電圧≦＋１００ｍＶ：−８０ｍＶのオフセット補正
ａ７）＋１００ｍＶ＜オフセット電圧≦＋１４０ｍＶ：−１２０ｍＶのオフセット補正
【００９９】
また、４０ｍＶの補正を行うためには、４０ｍＶ＝２０ｋΩ（Ｒ１２の抵抗値）×２μＡであることから、２μＡ刻みで電流を調整する必要がある。そこで、２μＡ刻みの電流源を精度よく形成するために、第１オフセット補正部４１では、オペアンプＡ２０でバッファアンプを構成し、このバッファアンプの入力にオフセット電圧に応じた電圧を発生させるようにしている。
【０１００】
また、バッファアンプの入力には、オフセットの補正量と同じ４０ｍＶ刻みの電圧を発生させれば、補正電流は２μＡ刻みの電流になり精度よく補正することができるようになる。ここでは、抵抗Ｒ１１を４ｋΩとし、デジタル可変電流源Ｉ１１を１０μＡ刻みとすることで、バッファアンプの入力に４０ｍＶ刻みの電圧を発生させるようにしている。
【０１０１】
図６は第１オフセット補正部４１の具体的構成を示す図であり、可変電流源Ｉ１０は、コンパレータＡ５ａ〜Ａ５ｇ,Ａ６ａ〜Ａ６ｇと、デジタル可変電流源Ｉ１１とを有している。
【０１０２】
コンパレータＡ５ａ〜Ａ５ｇは、それぞれ異なる基準電圧（６０ｍＶ，１２０ｍＶ,１８０ｍＶ，２４０ｍＶ，３００ｍＶ，３６０ｍＶ，４２０ｍＶ）を介してオフセット検出部４０で増幅された出力電圧ＲＦ＋を非反転入力ノードに入力し、反転入力ノードにはオフセット検出部４０で増幅された出力電圧ＲＦ−をそのまま入力している。また、コンパレータＡ６ａ〜Ａ６ｇは、それぞれ異なる基準電圧（６０ｍＶ，１２０ｍＶ,１８０ｍＶ，２４０ｍＶ，３００ｍＶ，３６０ｍＶ，４２０ｍＶ）を介してオフセット検出部４０で増幅された出力電圧ＲＦ−を非反転入力ノードに入力し、反転入力ノードにはオフセット検出部４０で増幅された出力電圧ＲＦ＋をそのまま入力している。
【０１０３】
そして、各コンパレータＡ５ａ〜Ａ５ｇ,Ａ６ａ〜Ａ６ｇの出力をデジタル可変電流源Ｉ１１のＤＡＣ回路に入力している。デジタル可変電流源Ｉ１１は、各コンパレータＡ５ａ〜Ａ５ｇ,Ａ６ａ〜Ａ６ｇに応じた電流を出力する。
【０１０４】
ここで、オフセットの判定電圧が±２０ｍＶと非常に小さいことから、出力回路部３２の出力電圧（ＲＦ＋，ＲＦ−）をそれぞれオフセット検出部４０のオペアンプＡ３，Ａ４で整数倍（ここでは、３倍）に増幅して各コンパレータＡ５ａ〜Ａ５ｇ,Ａ６ａ〜Ａ６ｇに入力している。従って、コンパレータＡ５ａ〜Ａ５ｇ,Ａ６ａ〜Ａ６ｇの閾値電圧Ｖｔｈは、上記ａ１）〜ａ７）の３倍になる。
【０１０５】
オフセット検出部４０のオペアンプＡ３，Ａ４は、スリープモードから通常モードへの遷移期間、すなわちオフセット補正モード時にのみ動作する。また、コンパレータＡ５ａ〜Ａ５ｇ,Ａ６ａ〜Ａ６ｇは、第２オフセット補正モード時にコンパレータとして動作し、その後ラッチ回路として、比較結果（Ｈレベル又はＬレベル）を保持するようにしている。これによりその後の通常モード時においても、その比較結果の保持が行われる。
【０１０６】
オフセット検出部４０及び第１オフセット補正部４１をこのような回路構成とすることで、精度よく光電変換部３０の出力電圧のオフセットを補正することができる。
【０１０７】
なお、上述においては、オフセット電圧を±２０ｍＶ以内に抑えるために、コンパレータを８段用意しているが、オフセット電圧の仕様範囲を異なるものとするときには、その仕様範囲に応じた段数のコンパレータを用意すればよい。例えば、オフセット電圧の仕様範囲を±１０ｍＶとするときには、コンパレータの段数を１６段に変更することで、オフセットの仕様を満足することができる。
【０１０８】
（出力回路部３２及び第２オフセット補正部４２について）
次に、出力回路部３２及び第２オフセット補正部４２の構成を説明する。
【０１０９】
図７に出力回路部３２の具体的構成を示す。同図に示すように、出力回路部３２はシングル−差動変換回路を用いており、電流源Ｉ１２〜Ｉ１９及びトランジスタＱ２０〜Ｑ２７などから構成される。
【０１１０】
この出力回路部３２においては、電流源Ｉ１２〜Ｉ１５のばらつき、及び抵抗Ｒ２０，Ｒ２１のばらつきにより、その出力にオフセット電圧が発生する。このオフセット電圧を第２オフセット補正部４２で補正することになる。
【０１１１】
第１オフセット補正モード時においては、出力回路部３２が稼動状態にされるが、光電変換部３０などはまだ稼動状態にされない。そのため、第１オフセット補正モード時、コントローラ４３は、スイッチＳＷ１０を制御して、出力回路部３２の入力に基準電圧Ｖｒｅｆを印加して、出力回路部３２の入力を無信号入力とする。
【０１１２】
第２オフセット補正部４２は、可変電流源Ｉ２０、抵抗Ｒ３０及びオペアンプＡ７から構成される。すなわち、電源電圧ＶＣＣと基準電圧Ｖｒｅｆとの間に、可変電流源Ｉ２０と抵抗Ｒ３０とが直列に接続され、可変電流源Ｉ２０と抵抗Ｒ３０との接続ノードがオペアンプＡ７の非反転入力ノードに接続される。オペアンプＡ７の出力ノードはその反転入力ノードに接続されており、さらにオペアンプＡ７の出力ノードはトランジスタＱ２１のベースに接続される。
【０１１３】
従って、トランジスタＱ２１のベースには、可変電流源Ｉ２０の電流値に応じた電圧が供給されることになり、可変電流源Ｉ２０の電流値を適切に調整することにより、出力回路部３２のオフセットを仕様範囲内にするオフセット補正を行うことができる。
【０１１４】
ここで、出力回路部３２で達成しなければならないオフセット電圧の仕様範囲が±５ｍＶであるすると、第１オフセット補正モード時において、オフセットの補正を以下のように行う必要がある。図７に示す回路では、以下のｂ１）〜ｂ３）のオフセット補正を行うことが出来るように構成されている。
【０１１５】
ｂ１）−１５ｍＶ≦オフセット電圧≦−５ｍＶ：＋１０ｍＶのオフセット補正
ｂ２）−５ｍＶ＜オフセット電圧≦＋５ｍＶ：オフセット補正は行わない
ｂ３）＋５ｍＶ＜オフセット電圧≦＋１５ｍＶ：−１０ｍＶのオフセット補正
【０１１６】
図８は第２オフセット補正部４２の具体的構成を示す図であり、可変電流源Ｉ２０は、コンパレータＡ９ａ，Ａ９ｂ,Ａ１０ａ，Ａ１０ｂと、デジタル可変電流源Ｉ２１とを有している。
【０１１７】
コンパレータＡ９ａ，Ａ９ｂは、それぞれ異なる基準電圧（４５ｍＶ，１５ｍＶ）を介してオフセット検出部４０で増幅された出力電圧ＲＦ＋を非反転入力ノードに入力し、反転入力ノードにはオフセット検出部４０で増幅された出力電圧ＲＦ−をそのまま入力している。また、コンパレータＡ１０ａ，Ａ１０ｂは、それぞれ異なる基準電圧（４５ｍＶ，１５ｍＶ）を介してオフセット検出部４０で増幅された出力電圧ＲＦ−を非反転入力ノードに入力し、反転入力ノードにはオフセット検出部４０で増幅された出力電圧ＲＦ＋をそのまま入力している。
【０１１８】
そして、各コンパレータＡ９ａ，Ａ９ｂ,Ａ１０ａ，Ａ１０ｂの出力をデジタル可変電流源Ｉ２１のＤＡＣ回路に入力している。デジタル可変電流源Ｉ２１は、各コンパレータＡ９ａ，Ａ９ｂ,Ａ１０ａ，Ａ１０ｂに応じた電流を出力する。
【０１１９】
ここで、オフセットの判定電圧が±５ｍＶと非常に小さいことから、出力回路部３２の出力電圧（ＲＦ＋，ＲＦ−）をそれぞれオフセット検出部４０のオペアンプＡ１３，Ａ１４で整数倍（ここでは、３倍）に増幅して各コンパレータＡ９ａ，Ａ９ｂ,Ａ１０ａ，Ａ１０ｂに入力している。従って、コンパレータＡ９ａ，Ａ９ｂ,Ａ１０ａ，Ａ１０ｂの閾値電圧Ｖｔｈは、上記ｂ１）〜ｂ３）の３倍になる。
【０１２０】
コンパレータＡ９ａ，Ａ９ｂ,Ａ１０ａ，Ａ１０ｂは、第１オフセット補正モード時にコンパレータとして動作し、その後ラッチ回路として、比較結果（Ｈレベル又はＬレベル）を保持するようにしている。これによりその後の通常モード時においても、その比較結果の保持が行われる。
【０１２１】
オフセット検出部４０及び第２オフセット補正部４２をこのような回路構成とすることで、精度よく出力回路部３２の出力電圧のオフセットを補正することができる。
【０１２２】
なお、第２オフセット補正部４２においては、光電変換部３０と比較して出力回路部３２のオフセット電圧が小さいことから、オフセット判定用のコンパレータは４段しか用意していないが、オフセット電圧が大きいときには、コンパレータを増やすようにしてもよい。また、オフセット判定精度を向上させたいときにも、コンパレータを増やすことができる。
【０１２３】
ところで、上述のフロントモニタ・フォトディテクタ回路１０では、補正後のオフセットが、光電変換部３０で±２０ｍＶ以内に、出力回路部３２で±５ｍＶ以内に収まるように設定したが、仕様に応じて適宜変更することができることは言うまでもない。
【０１２４】
ここで、図９に、フロントモニタ・フォトディテクタ回路１０（フォトダイオードＰＤのサイズ５００μｍφ）を実際に試作して、オフセット補正を行った結果を示す。なお、図９（ａ）は補正前のオフセット電圧であり、図９（ｂ）はオフセット補正後のオフセット電圧である。
【０１２５】
図９に示すように、補正前のオフセット電圧が±１５０ｍＶであるのに対して、オフセット補正後は±２５ｍＶに収まっており、オフセット補正回路が有効に機能していることがわかる。通常では補正前のオフセットの測定はできないが、レジスタにてオフセット補正を解除するモードを設定し測定を行った。
【０１２６】
以上のように本実施形態にかかるフロントモニタ・フォトディテクタ回路１０では、ベース接地型増幅器を介して、フォトダイオードを電流電圧変換器の入力ノードへ接続しているため、フォトダイオードサイズに影響されずに高速動作可能なフロントモニタ・フォトディテクタ回路を実現することができる。
【０１２７】
しかも、第１定電流源Ｉａや第２定電流源Ｉｂのばらつきによって光電変換部３０の出力電圧にオフセットが発生した場合や、出力回路部３２の出力電圧にオフセットが発生した場合であっても、起動時に補正をするようにしているので、フロントモニタ・フォトディテクタ回路１０の出力オフセットを仕様範囲内に抑えることが可能となる。
【０１２８】
以上、本発明の実施の形態のいくつかを図面に基づいて詳細に説明したが、これらは例示であり、当業者の知識に基づいて種々の変形、改良を施した他の形態で本発明を実施することが可能である。
【図面の簡単な説明】
【０１２９】
【図１】本実施形態にかかるベース接地型増幅器を利用する光電変換回路の構成を示す図である。
【図２】本実施形態にかかる光ディスク装置の概略構成図である。
【図３】本実施形態におけるフロントモニタ・フォトディテクタ回路の概略ブロック図である。
【図４】本実施形態にかかるフロントモニタ・フォトディテクタ回路におけるオフセット補正動作の説明図である
【図５】本実施形態にかかる光電変換部及び第１オフセット補正部の構成図である。
【図６】本実施形態にかかる第１オフセット補正部の構成図である。
【図７】本実施形態にかかる出力回路部及び第２オフセット補正部の構成図である。
【図８】本実施形態にかかる第２オフセット補正部の構成図である。
【図９】本実施形態にかかるフロントモニタ・フォトディテクタ回路のオフセット補正前後のオフセット電圧の測定結果を示す図である。
【図１０】従来のフロントモニタ・フォトディテクタ回路に用いる光電変換回路を示す図である。
【符号の説明】
【０１３０】
１  光ディスク装置
２  ＣＤ用レーザーダイオード
３  ＤＶＤ用レーザーダイオード
４  光学系
５  第１のフォトディテクタ回路
６  光ディスク
７  サーボモータ
１０  フロントモニタ・フォトディテクタ回路（フォトディテクタ回路）
１１  ＤＳＰ
１２  コントローラ
２０，２１，２５〜２７  レンズ
２２  プリズム
２３  スプリッタ
２４  反射ミラー
３０  光電変換部
３１  ゲインコントロールアンプ
３２  出力回路部
３３  制御部
３４  電流電圧変換器
４０  オフセット検出部
４１  第１オフセット補正部
４２  第２オフセット補正部
４３  コントローラ
【図１】
2009266297.tif 000004
【図２】
2009266297.tif 000005
【図３】
2009266297.tif 000006
【図４】
2009266297.tif 000007
【図５】
2009266297.tif 000008
【図６】
2009266297.tif 000009
【図７】
2009266297.tif 000010
【図８】
2009266297.tif 000011
【図９】
2009266297.tif 000012
【図１０】
2009266297.tif 000013